(57)【要約】【課題】消費電力を抑えることが可能なチューナ制御装置及びチューナ制御プログラムを提供する。【解決手段】本発明に係るチューナ制御装置は、第１の放送の放送データを復調する第１のチューナ部と、前記第１の放送よりも処理するデータ量の多い第２の放送の放送データを復調する第２のチューナ部と、前記第１のチューナ部の動作と前記第２のチューナ部の動作とを制御し、前記第１のチューナ部を動作させているときに前記第２のチューナ部の動作を停止させる制御手段と、を備える。【選択図】図３
2010278581.tif 000002
【特許請求の範囲】
【請求項１】
第１の放送の放送データを復調する第１のチューナ部と、
前記第１の放送よりも処理するデータ量の多い第２の放送の放送データを復調する第２のチューナ部と、
前記第１のチューナ部の動作と前記第２のチューナ部の動作とを制御し、前記第１のチューナ部を動作させているときに前記第２のチューナ部の動作を停止させる制御手段と、
を備えることを特徴とするチューナ制御装置。
【請求項２】
前記制御手段は、前記第２のチューナ部を動作させているときに前記第２のチューナ部が出力する前記第２の放送の受信状況を取得し、取得した前記第２の放送の受信状況が第１の所定の基準を満たさない場合に前記第１のチューナ部を動作させるとともに前記第２のチューナ部の動作を停止させることを特徴とする請求項１に記載のチューナ制御装置。
【請求項３】
前記制御手段は、前記第２のチューナ部の動作を停止させて前記第１のチューナ部を動作させているときに前記第１のチューナ部が出力する第１の放送の受信状況を取得することを特徴とする請求項１に記載のチューナ制御装置。
【請求項４】
前記制御手段は、取得した前記第１の放送の受信状況が第２の所定の基準を満たす場合に、前記第２の放送の受信状況が良好である旨の情報を出力することを特徴とする請求項３に記載のチューナ制御装置。
【請求項５】
前記制御手段は、前記第１のチューナ部を動作させているときに停止中の前記第２のチューナ部を所定のタイミングで動作させ、動作させた前記第２のチューナ部が出力する前記第２の放送の受信状況を取得することを特徴とする請求項１に記載のチューナ制御装置。
【請求項６】
前記制御手段は、前記第１のチューナ部が出力する前記第１の放送の受信状況を取得し、取得した前記第１の放送の受信状況が第３の所定の基準を満たす場合に、前記第２のチューナ部を動作させることを特徴とする請求項５に記載のチューナ制御装置。
【請求項７】
前記制御手段は、取得した前記第２の放送の受信状況が第４の所定の基準を満たす場合に、前記第２の放送の受信状況が良好である旨の情報を出力することを特徴とする請求項５又は６に記載のチューナ制御装置。
【請求項８】
前記制御手段は、
前記第１のチューナ部を動作させているときに前記第１のチューナ部が出力する前記第１の放送の受信状況を取得し、取得した前記第１の放送の受信状況が第５の所定の基準を満たすか否かを判別する第１の判別モードと、
前記第１のチューナ部を動作させているときに停止中の前記第２のチューナ部を所定のタイミングで動作させ、動作させた前記第２のチューナ部が出力する前記第２の放送の受信状況を取得し、取得した前記第２の放送の受信状況が第６の所定の基準を満たすか否かを判別する第２の判別モードと、
を有することを特徴とする請求項１に記載のチューナ制御装置。
【請求項９】
前記制御手段は、前記第１の判別モード又は前記第２の判別モードで前記第５の所定の基準又は前記第６の所定の基準を満たすと判断した場合に、前記第２の放送の受信状況が良好である旨の情報を出力することを特徴とする請求項８に記載のチューナ制御装置。
【請求項１０】
前記制御手段は、前記第２の判別モードによって前記第２の放送の受信状況が前記第６の所定の基準を満たすと判別すると、前記第２の放送の受信状況が良好である旨の情報を出力し、この情報の出力後所定の間にユーザの所定の操作がない場合に、判別モードを前記第１の判別モードに切り替えることを特徴とする請求項８又は９に記載のチューナ制御装置。
【請求項１１】
前記制御手段は、前記第１の判別モードと、前記第２の判別モードと、を所定のタイミングで切り替えることを特徴とする請求項８又は９に記載のチューナ制御装置。
【請求項１２】
前記制御手段は、前記第１の判別モードと、前記第２の判別モードと、を前記所定のタイミングで交互に切り替え、
前記所定のタイミングは、前記第１の判別モードの期間と前記第２の判別モードの期間とが略同じとなるタイミングである
ことを特徴とする請求項１１に記載のチューナ制御装置。
【請求項１３】
前記制御手段は、前記第１の判別モードと、前記第２の判別モードと、を前記所定のタイミングで交互に切り替え、
前記所定のタイミングは、切り替える毎に前記第２の判別モードの期間の方が前記第１の判別モードの期間よりも短くなっていくタイミングである
ことを特徴とする請求項１１に記載のチューナ制御装置。
【請求項１４】
前記所定のタイミングは、ユーザの操作を契機とするタイミングであることを特徴とする請求項１１に記載のチューナ制御装置。
【請求項１５】
前記第２の放送の受信状況は、前記第２の放送のＢＥＲ（Bit Error Rate）値であることを特徴とする請求項２及び５乃至１４のいずれか１項に記載のチューナ制御装置。
【請求項１６】
前記第１のチューナ部と前記第２のチューナ部とは、第１のチューナモードと第２のチューナモードとを有するチューナによって構成され、
前記第１のチューナ部の動作は、前記第１のチューナモードの動作であり、
前記第２のチューナ部の動作は、前記第２のチューナモードの動作であり、
前記制御手段は、前記第１のチューナモードと、前記第２のチューナモードと、を切り替え制御する
ことを特徴とする請求項１乃至１５のいずれか１項に記載のチューナ制御装置。
【請求項１７】
画像を表示する表示手段をさらに備え、
前記表示手段は、前記制御手段が出力する前記第２の放送の受信状況が良好である旨の情報に基づいて前記第２の放送の受信状況が良好であることを示すポップアップを含む画像を表示する
ことを特徴とする請求項４、７、又は９に記載のチューナ制御装置。
【請求項１８】
振動を発生させる振動発生手段をさらに備え、
前記振動発生手段は、前記制御手段が出力する前記第２の放送の受信状況が良好である旨の情報に基づいて前記第２の放送の受信状況が良好であることを示す振動を発生させる
ことを特徴とする請求項４、７、又は９に記載のチューナ制御装置。
【請求項１９】
音を発生させる音出力手段をさらに備え、
前記音出力手段は、前記制御手段が出力する前記第２の放送の受信状況が良好である旨の情報に基づいて前記第２の放送の受信状況が良好であることを示す音を発生させる
ことを特徴とする請求項４、７、又は９に記載のチューナ制御装置。
【請求項２０】
コンピュータを、
第１の放送の放送データを復調する第１のチューナ部の動作と前記第１の放送よりも処理するデータ量の多い第２の放送の放送データを復調する第２のチューナ部の動作とを制御し、前記第１のチューナ部を動作させているときに前記第２のチューナ部の動作を停止させる制御手段として機能させる
ことを特徴とするチューナ制御プログラム。
【発明の詳細な説明】
【技術分野】
【０００１】
本発明は、例えば、受信したデジタル放送（例えば、地上デジタル放送）の信号を復調するチューナを制御するチューナ制御装置及びチューナ制御プログラムに関する。
【背景技術】
【０００２】
前記のチューナ制御装置は、例えば地上デジタル放送を受信する受信装置によって実現される。このような受信装置は、例えば、受信電波からトランスポートストリーム（ＴＳ）を復調するチューナを備え、トランスポートストリームからパケットを分離し、そのパケットをデコーダがデコードすることで映像音声を出力する。そして、地上デジタル放送では、一つの放送局に割り当てられた周波数帯を１３個のセグメントに分割し、そのうち一つのセグメント（図６における３１）を使ってワンセグ放送を伝送し、残りの１２セグメント（図６における３２）を使って（ワンセグ放送に用いられる上記セグメントに含まれるデータを一部含む場合がある。）固定テレビ向けの放送を伝送している。固定テレビ向けの放送には、１２セグメントを全て使って、ハイビジョン放送を１番組だけ伝送する場合と、ＳＤ品質のスタンダード放送を複数番組伝送する場合がある。
【０００３】
また、ワンセグ放送は、携帯端末向けに規格化されており、固定テレビ用の放送に比べて、受信感度が低い状態でも放送を正常に受信出来る特徴がある。
【０００４】
特許文献１には、ハイビジョン放送の受信中に受信状態が悪化すると、ワンセグ放送に切り替えて受信を継続し、また、ワンセグ放送の受信中にハイビジョン放送の電波状態が回復したらハイビジョン放送に切り替える選択手段を備える車載用デジタル放送受信装置が開示されている。
【先行技術文献】
【特許文献】
【０００５】
【特許文献１】特開２００５−２７７８７３号公報
【発明の概要】
【発明が解決しようとする課題】
【０００６】
しかし、ハイビジョン放送を受信するチューナを常に起動して受信状況を監視すると、消費電力が大きくなってしまうという問題がある。特に、バッテリに限りがあり、低電力化が求められる携帯端末では、消費電力が大きくなることは問題となる。また、これらの消費電力の問題はデータ量の多い放送データを扱う場合に一般的に言えることである。
【０００７】
本発明は上記実情を鑑みてなされたものであり、消費電力を抑えることが可能なチューナ制御装置及びチューナ制御プログラムを提供することを目的とする。
【課題を解決するための手段】
【０００８】
上記目的を達成するため、本発明の第１の観点に係るチューナ制御装置は、
第１の放送の放送データを復調する第１のチューナ部と、
前記第１の放送よりも処理するデータ量の多い第２の放送の放送データを復調する第２のチューナ部と、
前記第１のチューナ部の動作と前記第２のチューナ部の動作とを制御し、前記第１のチューナ部を動作させているときに前記第２のチューナ部の動作を停止させる制御手段と、
を備える。
【０００９】
また、本発明の第２観点に係るチューナ制御プログラムは、コンピュータに対して上記チューナ制御装置の主要機能を実行させる。
【発明の効果】
【００１０】
本発明によれば、第１のチューナ部を動作させているときに第２のチューナ部の動作を停止させるので、消費電力を抑えることが可能となる。
【図面の簡単な説明】
【００１１】
【図１】実施形態１に係るチューナ制御装置を開いた状態で正面から見たときの外観図である。
【図２】実施形態１に係るチューナ制御装置の構成を示す図である。
【図３】（ａ）は、実施形態１に係るチューナ制御装置のワンセグ復調・デコード部の構成を示す図である。（ｂ）は、実施形態１に係るチューナ制御装置のフルセグ復調・デコード部の構成を示す図である。
【図４】ワンセグとフルセグそれぞれの電波が受信可能なエリアを示す説明図である。
【図５】ＢＥＲ値の時間変化をプロットしたグラフを示した図である。
【図６】セグメントを説明する説明図である。
【図７】実施形態１に係るチューナ制御装置が行うフルセグ映像出力処理のフローチャートである。
【図８】実施形態１に係るチューナ制御装置が行う受信可否判定処理のフローチャートである。
【図９】実施形態１に係るチューナ制御装置が行うフルセグＢＥＲ予測処理のフローチャートである。
【図１０】実施形態１に係るチューナ制御装置が行うフルセグの受信状態判定処理のフローチャートである。
【図１１】実施形態２に係るチューナ制御装置が行うフルセグチューナ部一時起動処理のフローチャートである。
【図１２】実施形態２に係るチューナ制御装置が行う第１のモード切替処理のフローチャートである。
【図１３】実施形態３に係るチューナ制御装置が行う第２のモード切替処理のフローチャートである。
【図１４】ワンセグＣＮとフルセグＣＮの対応表である。
【図１５】フルセグＣＮとフルセグＢＥＲの対応表である。
【図１６】フルセグ受信可能をユーザに通知する画面例である。
【図１７】視聴する放送を切り替える画面である。
【図１８】実施形態３及び４に係るチューナ制御装置が行うモード１とモード２とを切り替えるタイミングを説明する図である。
【図１９】実施形態４に係るチューナ制御装置が行う第３のモード切替処理のフローチャートである。
【図２０】実施形態４に係るチューナ制御装置が行う第４のモード切替処理のフローチャートである。
【発明を実施するための形態】
【００１２】
本発明の実施形態について図面を参照して説明する。なお、本発明は下記の実施形態及び図面によって限定されるものではない。本発明の要旨を変更しない範囲で下記の実施形態及び図面に変更を加えることが出来るのはもちろんである。
【００１３】
なお、下記の実施形態では、第１の放送をワンセグ放送とし、第１の放送よりも処理するデータ量の多い第２の放送をハイビジョン放送（又はフルセグ放送）として説明する。また、本発明ではスタンダード放送もハイビジョン放送と同様に扱うことができる。このため、本発明では１２セグメントを使った（ワンセグ放送のセグメントに含まれるデータも使用する場合がある）放送（第１の放送より扱うデータ量が大きい第２の放送）を総称してハイビジョン放送と呼ぶことにする。
【００１４】
（実施形態１）
以下、本発明の実施形態１に係るチューナ制御装置を説明する。本実施形態のチューナ制御装置１は、コンテンツ受信機能を備える携帯電話であるが、本発明に係るチューナ制御装置は、モバイル映像表示端末や、携帯型のテレビ受信機などであっても良い。チューナ制御装置１は、任意のコンテンツを受信可能であるが、以下ではワンセグ放送およびハイビジョン放送におけるコンテンツ（番組）を受信する場合について説明する。
【００１５】
チューナ制御装置１は、コンテンツ再生機能を備える携帯電話で、例えば、図１に示すような折り畳み型のものである。チューナ制御装置１は、キーボード２、表示パネル５、通話用マイク６、通話用スピーカ７、及び、スピーカ８等を備えている。
【００１６】
キーボード２は、カーソルキー３と切替ボタン４とその他各種のボタンとを備え、ユーザに操作されて、様々なデータや指示の入力に使用される。カーソルキー３とその他各種のボタンとは、例えば、チャンネルの選択等の指示の入力に使用される。また、切替ボタン４は、例えば、再生する放送の切り替えの入力に使用される。表示パネル５は、ドットマトリクスタイプのＬＣＤ（液晶表示）パネル等から構成され、任意の情報（例えば、映像、字幕、データ放送等）を表示する。通話用マイク６には、通話音声が入力される。通話用スピーカ７は、受話音声を出力する。スピーカ８は、コンテンツ再生時（ワンセグ又はハイビジョン放送の再生時）の音声等を出力する。
【００１７】
次に、チューナ制御装置１の回路構成について説明する。チューナ制御装置１は、図２に示すように、制御部１１、記憶部１２、操作部１３、表示部１４、ワンセグ復調・デコード部１５、フルセグ復調・デコード部１６、音声出力部１７、音声入力部１８、通信部１９、バス２０、タイマー２４、及び、アンテナ３１を備える。
【００１８】
制御部１１は、マイクロプロセッサユニット等から構成され、チューナ制御装置１全体の動作（各部の動作）を制御する。例えば、制御部１１は、後述の復調した放送データ（例えば、後述のＴＳ）に基づくデータ（映像データ等で、放送データそのものであってもよい）の放送の再生（各チューナ部が出力するＴＳをデコード等して加工したデータを用いた再生をも含む表現である）、及び、チャンネルの変更を制御する。また、制御部１１は、各種のデータ（映像、字幕文、データ放送等）を、表示部１４を介して、表示パネル５に表示させる。また、制御部１１は、例えば、後述のワンセグチューナ部１５０と後述のフルセグチューナ部１６０とへの電力の供給（電源のオン・オフ）を制御し、後述のワンセグチューナ部１５０の動作と後述のフルセグチューナ部１６０の動作とを制御する。
【００１９】
記憶部１２は、ＲＡＭ、補助記憶装置等の適宜の記憶装置によって構成され、各種データ及び各種プログラムを記憶する。また、記憶部１２は、制御部１１の作業領域も有する。例えば、記憶部１２は、チューナ制御プログラム３０、ワンセグＣＮ−フルセグＣＮ対応表２５、フルセグＣＮ−フルセグＢＥＲ対応表２６を記憶する。記憶部１２は、チューナ制御装置１に内蔵されるメモリ又は取り外し可能な外部メモリからの少なくとも一方から構成されてもよい。また、記憶部１２は、制御部１１がアクセス可能であればその機能の一部をチューナ制御装置１の外部に設けたものであってもよい。なお、制御部１１は、例えば、チューナ制御プログラム３０(ＯＳ（Operating System）との協働でもよい)に従って下記で説明する処理を行う。チューナ制御プログラム３０は、持ち運び可能な記憶媒体に記録されても良い。
【００２０】
操作部１３は、前述のキーボード２（カーソルキー３、切替ボタン４等）を備え、ユーザからの操作に対応した操作信号を制御部１１に入力する。
【００２１】
表示部１４は、表示パネル５及びドライバ回路等から構成され、制御部１１の制御下にて画像を表示パネル５に表示する。
【００２２】
ワンセグ復調・デコード部１５は、図３（ａ）のように、ワンセグチューナ部（第１のチューナ部の一例）１５０と、ワンセグデコード部１５９と、を備える。ワンセグチューナ部１５０は、アンテナ３１を介して受信した電波を用いてワンセグ放送のＴｒａｎｓｐｏｒｔ  Ｓｔｒｅａｍ、すなわち、ＴＳを復調し、復調信号のＴＳをワンセグデコード部１５９に出力する。ワンセグデコード部１５９は、復調信号のＴＳを分離・復号処理し、映像データ、音声データ、字幕データなどを出力する。
【００２３】
ワンセグチューナ部１５０は、具体的には例えば、図３（ａ）のように、受信機１５１、ＣＮ（Ｃａｒｒｉｏｒ  ｔｏ  Ｎｏｉｓｅ  Ｒａｔｉｏ）測定器１５２、復調器１５３、ＢＥＲ（Ｂｉｔ  Ｅｒｒｏｒ  Ｒａｔｅ）測定器１５４を備え、ＣＮ出力線１５５、ＢＥＲ出力線１５６、ＴＳ（Ｔｒａｎｓｐｏｒｔ  Ｓｔｒｅａｍ）出力線１５７などと接続されている。
【００２４】
受信機１５１は、アンテナ３１から入力された電波から制御部１１で指定された信号（例えばユーザが指定するチャンネルのワンセグ放送に対応する所定幅の周波数帯域の信号）を、ＲＦ（Ｒａｄｉｏ  Ｆｒｅｑｕｅｎｃｙ）信号として取り出し、取り出した信号をＣＮ測定器１５１を介して復調器１５３に出力する。ＣＮ測定器１５２は、前記ＲＦ信号を用いてＣＮ値を求め、求めたＣＮ値をＣＮ出力線１５５を介して制御部１１に出力する（記憶部１２を介して制御部１１に出力する場合も含む、以下、制御部１１に出力するといった場合は、同じ）。以下、ＣＮ測定器１５１（つまり、ワンセグチューナ部１５０）が出力するＣＮ値をワンセグＣＮと呼ぶことがある。復調器１５３には、受信機１５１が出力したＲＦ信号がＣＮ測定器１５２を介して入力される。復調器１５３は、入力されたＲＦ信号をＴＳに復調してワンセグ放送のＴＳを出力する。さらに、後段のＢＥＲ測定器１５４によってＢＥＲ値が測定された後、ＴＳ出力線１５７からＴＳが出力される。また、測定されたＢＥＲ値は、ＢＥＲ出力線１５６を介して制御部１１に出力される。以下、ＢＥＲ測定器１５４が出力するＢＥＲ値をワンセグＢＥＲと呼ぶことがある。
【００２５】
フルセグ復調・デコード部１６は、図３（ｂ）のように、フルセグチューナ部（第２のチューナ部の一例）１６０と、デスクランブル部１６８と、フルセグデコード部１６９と、を備える。フルセグチューナ部１６０は、アンテナ３１を介して受信した電波を用いてフルセグ放送のＴＳを復調し、復調信号をデスクランブル部１６８に出力する。デスクランブル部１６８では、フルセグチューナ部１６０が出力したスクランブルのかかったＴＳの暗号を解き、データを平文にしてフルセグデコード部１６９に出力する。フルセグデコード部１６９は、デスクランブル部１６８が出力した平文ＴＳを分離・復号処理し、映像データ、音声データ、字幕データなどを出力する。
【００２６】
フルセグチューナ部１６０は、図３（ｂ）のように、受信機１６１、ＣＮ測定器１６２、復調器１６３、ＢＥＲ測定器１６４を備え、ＣＮ出力線１６５、ＢＥＲ出力線１６６、ＴＳ出力線１６７などと接続されている。受信機１６１は、アンテナ３１から入力された電波から制御部１１で指定された信号（例えばユーザが指定するチャンネルのフルセグ放送に対応する所定幅の周波数帯域の信号）を、ＲＦ信号として取り出す。フルセグチューナ部１６０は、ワンセグチューナ部１５０と同様の構成であるので、他の詳細な説明は省略する。なお、以下、ＣＮ測定器１６２が出力するＣＮ値をフルセグＣＮと呼び、ＢＥＲ測定器１６４が出力するＢＥＲ値をフルセグＢＥＲと呼ぶことがある。
【００２７】
なお、ワンセグチューナ部１５０とフルセグチューナ部１６０とは、一つのＬＳＩ（Ｌａｒｇｅ  Ｓｃａｌｅ  Ｉｎｔｅｒｇｒａｔｉｏｎ）として構成してもよいし、それぞれ、別個のチューナによって構成されてもよい。ワンセグチューナ部１５０とフルセグチューナ部１６０とを一つのＬＳＩ（チューナ）として構成する場合、このチューナは、ワンセグ放送のＴＳを復調・出力するワンセグモード（第１のチューナモードの一例）と、ハイビジョン放送のＴＳを復調・出力するフルセグモード（第２のチューナモードの一例）とを有する。このとき、ワンセグチューナ部１５０の動作は、前記ワンセグモードの動作であり、フルセグチューナ部１６０の動作は、フルセグモードの動作となる。モードの切り替えは、制御部１１によって制御され、例えば、モードを示すレジスタの値を書き換えることで実現できる。
【００２８】
また、ワンセグチューナ部１５０とフルセグチューナ部１６０と制御部１１とは、ワンセグチューナ部１５０とフルセグチューナ部１６０との切り替えによってワンセグ放送のＴＳ又はハイビジョン放送のＴＳのどちらか一方を用いてワンセグ放送（第１の放送）又はハイビジョン放送（第２の放送）を再生する再生部を構成する。
【００２９】
音声出力部１７は、前述の通話用スピーカ７とスピーカ８、ＤＡＣ（Ｄｉｇｉｔａｌ  Ａｎａｌｏｇ  Ｃｏｎｖｅｒｔｅｒ）等を備え、例えば、制御部１１が再生したコンテンツの音声信号にＤＡ変換を施し、スピーカ８により放音する。
【００３０】
音声入力部１８は、通話時等に、音声信号を収集し、通信部１９に供給する。
【００３１】
通信部１９は、基地局を介して、通話音声、各種のデータ等を送受信する。
【００３２】
バス２０は、各部間で相互にデータを伝送する。
【００３３】
タイマー２４は、制御部１１を構成するマイクロプロセッサユニットなどに付属した機構であり、一定の時間間隔で割り込みを発生させる。タイマー２４により、制御部１１が割り込みを発生させる時間間隔を設定できる。
【００３４】
アンテナ３１はデジタル放送が受信可能な、例えばＵＨＦ帯の電波やＶＨＦ帯の電波を受信するために必要な形状をしている。
【００３５】
（切り替え処理の概要）
例えば、図４のように、領域Ａ２内から領域Ａ２の外かつ領域Ａ１内にチューナ制御装置１が移動した場合等、ユーザがハイビジョン放送を受信して視聴している際にハイビジョン放送の受信状況が悪化すると、映像にブロックノイズが発生し、それ以上視聴を続けられなくなる場合がある。そのような場合に、チューナ制御装置１が同じチャンネルのワンセグ放送に切り替えて表示することにより、ユーザは番組を途切れることなく視聴でき、使い勝手が向上する。このように制御するには、チューナ制御装置１（つまり、制御部１１）は、ハイビジョン放送の受信中に、例えばＣＮ測定器１６２で測定した、このハイビジョン放送のＣＮ値（又は電界強度）を取得し、予め定められた第１の閾値よりも大きいか否かを判定する（なお、電界強度を取得する場合には、適宜の場所（例えば、ＣＮ測定器１５２及びＣＮ測定器１６２の場所）に電界強度測定器を設ける。）。そして、もしＣＮ値（又は電界強度）が第１の閾値未満（電界強度の場合には、基本的に他の閾値になる。）の場合、チューナ制御装置１（つまり、制御部１１）は、ワンセグ放送に切り替えて表示する。または、チューナ制御装置１（つまり、制御部１１）は、フルセグチューナ部１６０が出力するＢＥＲ値（ＢＥＲ測定器１６４で測定されたもの）を取得し、予め定められた第２の閾値未満であるかを判定する。そして、もし閾値以上になった場合は、ワンセグ放送に切り替えて表示する。
【００３６】
なお、図４のＡは、放送波を発振する基地局であり、領域Ａ２はハイビジョン放送の受信状況が良好な領域、領域Ａ１はワンセグ放送の受信状況が良好な領域である。当然、領域Ａ１は、領域Ａ２を含んだ領域である。
【００３７】
また、例えば、図４のように領域Ａ２内にチューナ制御装置１がある場合、チューナ制御装置１がハイビジョン放送を良好に受信して視聴できる可能性が高い。この場合、視聴する放送をハイビジョン放送に切り替えることによって、より高品質な放送を視聴できる可能性がある。しかし、ワンセグ放送とハイビジョン放送とでは、電波を受信してから表示するまでの処理量が違うなどの理由により、同じシーンでも表示されるタイミングは１秒から２秒程度ずれてしまう。そのため、視聴する放送を切り替えると画面も音声も途切れてしまい、煩わしいと感じるユーザもいる。このようなずれを補正するには、先にデコードが完了して表示可能となった放送（通常はハイビジョン放送）の画像データ等をメモリに蓄積し、後からデコードが完了して表示可能となった放送（通常はワンセグ放送）のシーンとタイミングを合わせて再生する方法が考えられる。しかし、大容量のメモリが必要となりコストがかかってしまうため、好ましくない。
【００３８】
そこで、頻繁に切り替えを発生させないために、ワンセグ放送からハイビジョン放送へはチューナ制御装置１が自動で切り替えずに、ユーザの所望のタイミングで手動にて切り替えることができると、ユーザにとっては使い勝手が向上する。そのためには、ハイビジョン放送が安定して受信できるエリア内（図４の領域Ａ２内）に端末が移動した、ということを検出し、ユーザに通知する必要がある。
【００３９】
上記の処理のうちＢＥＲ値を用いた処理内容を、図５を用いて簡単に説明する。なお、ＣＮ値（又は電界強度）を用いた処理もこの処理と同様にできる。但し、この場合、値の扱いは逆になり、値が或る閾値（例えば前記の第１の閾値）未満になった場合は、ワンセグ放送に切り替える。図５は、フルセグＢＥＲの時間変化をプロットした図を示している。ここで、閾値１４０（例えば、第２の閾値）は、フルセグＢＥＲがこれ以上の値の場合にハイビジョン放送からワンセグ放送に切り替える値である。チューナ制御装置１（つまり、制御部１１）は、時刻ｔ１（又はｔ３）で、取得したＢＥＲ値が閾値１４０を超えているので、ワンセグ放送への切り替え処理を行う。なお、各チューナ部の切り替えにＢＥＲ値を用いることで、より正確に各放送の受信状況が把握出来る。
【００４０】
ワンセグ放送への切り替え処理を説明すると、例えば、制御部１１は、ワンセグチューナ部１５０の電源をオンにして起動し、ワンセグチューナ部１５０を動作させる。ワンセグチューナ部１５０は、アンテナが受信した放送波からＴＳを復調し出力する。出力されたＴＳはワンセグデコード部１５９に入力される。入力されたＴＳはワンセグデコード部１５９で復号されＹＵＶデータ等に変換される。そして、制御部１１は、フルセグデコード部１６９が復号したＹＵＶデータの画像の表示等を停止し、ワンセグデコード部１５９が出力するＹＵＶデータの画像を表示部１４を介して表示等する。その後、制御部１１は、フルセグチューナ部１６０の電源をＯＦＦにし、フルセグチューナ部１６０の動作を停止させる。
【００４１】
このようにして、チューナ制御装置１（制御部１１）は、フルセグチューナ部１６０を動作させているときにフルセグチューナ部１６０が出力するハイビジョン放送の受信状況（ここでは、ＢＥＲ値であるが、ＣＮ値又は電解強度であってもよい）を取得し、取得したフルセグ放送の受信状況が所定の基準（第１の所定の基準の一例）を満たさない場合（例えば、上記の閾値以上（又は閾値未満）の場合等）にワンセグチューナ部１５０を動作させるとともにフルセグチューナ部１６０の動作を停止させる。そして、チューナ制御装置１（制御部１１）は、ワンセグ放送のＴＳに基づくワンセグ放送の再生を行う。
【００４２】
なお、詳しくは後述するが、制御部１１は、時刻ｔ２（又はｔ４）でフルセグＢＥＲが閾値１４０を下回ると予想できると、ハイビジョン放送への切り替えが可能と判断できるので、制御部１１は、ユーザにフルセグ受信可能通知の処理を行う。通知の具体例については後述する。そして、ユーザによってハイビジョン放送への切り替えが指示された場合は、制御部１１は、ハイビジョン放送に切り替える。まず、制御部１１は、フルセグチューナ部１６０の電源をオンにして起動し、フルセグチューナ部１６０を動作させる。フルセグチューナ部１６０は、アンテナが受信した放送波からＴＳを復調し出力する。出力されたＴＳはデスクランブル部１６８に入力され、スクランブルのかかったＴＳの暗号を解き、データを平文にしてフルセグデコード部１６９に出力する。出力されたＴＳはフルセグデコード部１６９に入力される。入力されたＴＳはフルセグデコード部１６９で復号されＹＵＶデータ等に変換される。そして、制御部１１は、ワンセグデコード部１５９が復号したＹＵＶデータの画像の表示等を停止し、フルセグデコード部１６９が出力するＹＵＶデータの画像を表示部１４を介して表示等する。このようにして、チューナ制御装置１（制御部１１）は、ハイビジョン放送のＴＳに基づくハイビジョン放送の再生を行う。その後、制御部１１は、ワンセグチューナ部１５０の電源をＯＦＦにし、ワンセグチューナ部１５０の動作を停止させる。
【００４３】
フルセグＢＥＲを用いて、ハイビジョン放送からワンセグ放送への自動切り替えができ、ワンセグ放送視聴中にはフルセグＢＥＲを把握（例えば予測）してハイビジョン放送受信可能通知処理を行うことができる。
【００４４】
ここで、フルセグＢＥＲやフルセグＣＮを用いて切り替えの判定処理を行う場合、常にフルセグチューナ部１６０の電源を入れてフルセグチューナ部１６０を動作させておくと大きな消費電力を使用してしまう。一般的に、フルセグチューナ部１６０はワンセグチューナ部１５０に比べても大きな消費電力を使用する。これは、図６に示されるように、ハイビジョン放送はワンセグ放送の約１２倍の周波数帯域を使用していることや、ＴＳのビットレートが高く、処理するデータ量が多いことなどが理由として挙げられる。なお、図６では、フルセグ放送のセグメントとワンセグ放送のセグメントとは、別個に表現されているが、フルセグ放送では、ワンセグ放送に使用されるセグメントに含まれるデータの一部を使用することもある。
【００４５】
本実施形態のように、ワンセグチューナ部１５０を動作させる場合に、フルセグチューナ部１６０の動作を停止させることによって、消費電力を抑えることができる。
【００４６】
また、本実施形態のように、ワンセグチューナ部１５０も常時起動（動作）させずに、ワンセグ放送を表示する場合だけ動作するように制御する。ワンセグチューナ部１５０についてもフルセグチューナ部１６０ほど大きな消費電力は使用しないが、本実施形態ではできるだけ消費電力を抑えられ、システム全体の消費電力を抑えることができる。
【００４７】
（フルセグ映像出力処理）
ここで、ハイビジョン放送の映像を出力するためのフルセグ映像出力処理について図７を用いて詳細に説明する。まず、フルセグチューナ部１６０に電波がアンテナ３１を介して入力される。そして、制御部１１の制御の下、フルセグチューナ部１６０にて復調処理を行い、ハイビジョン放送のＴＳを出力する。（ステップＳ７０１）。次に、このＴＳにはコンテンツ保護のためにスクランブルがかかっているので、デスクランブル部１６８は復号化処理を行い平文のＴＳを出力する（ステップＳ７０２）。そして、この平文のＴＳをフルセグデコード部１６９はデコード処理する（ステップＳ７０３）。デコード処理では、まずＴＳを映像、音声、字幕、データ放送、ＰＳＩ／ＳＩ情報などのデータに分離した後、分離したこれらからそれぞれのエレメンタリストリーム（ＥＳ）を復号する。これにより、例えば、映像ＥＳはＹＵＶデータ（映像データ）に変換され、音声ＥＳはＰＣＭ（Pulse Code Modulation）データ（音声データ）に変換される。そして、制御部１１は、変換した各ＥＳを用いて、表示部１４への表示、スピーカ８からの出力等を行い、ハイビジョン放送の再生を行う（ステップS７０４）。このようにして、制御部１１は、フルセグチューナ部１６０が出力するハイビジョン放送のＴＳに基づくハイビジョン放送の再生を行う。
【００４８】
（ユーザ通知フロー）
次に、本実施形態に係るチューナ制御装置１が行う、ワンセグ放送を受信中にハイビジョン放送の受信可否を判別し、受信可能と判断できた場合はユーザにフルセグ受信可能通知を通知する受信可否判定処理のフローについて詳細に説明する（図８）。
【００４９】
まず、ワンセグ放送を視聴中に制御部１１はワンセグチューナ部１５０からワンセグＣＮを取得する（ステップＳ８０１）。次に、制御部１１は取得したワンセグＣＮを用いてフルセグＢＥＲを予測する（ステップＳ８０２）。フルセグＢＥＲの予測処理の詳細については、図９で説明するので、ここでは説明を省略する。その後、制御部１１は予測したフルセグＢＥＲを用いてハイビジョン放送の受信状態の判定を行う（ステップＳ８０３）。この受信状態判定方法の詳細については、図１０で説明する。
【００５０】
そして、制御部１１はハイビジョン放送の受信状態判定が終了したと判断し（ステップＳ８０４；ＹＥＳ）、ハイビジョン放送の受信状態が良好と判定した場合（ステップＳ８０５；ＹＥＳ）、ユーザ通知を開始する（ステップＳ８０６）。ここで、ハイビジョン放送の受信状態は、ハイビジョン放送の受信状態を示す記憶部１２に記憶されたプログラム上の変数であり、ハイビジョン放送の受信状態判定処理（ステップＳ８０３）において値が格納される。この変数の値によって「判定中」「良好」「悪化」などというようにハイビジョン放送の受信状態を判断できる。ハイビジョン放送の受信状態が「判定中」でなかった場合、すなわち「良好」や「悪化」であった場合、ハイビジョン放送の受信状態の判定が終了したと判断できる。そして、「良好」であった場合、ハイビジョン放送の受信状態の判定が良好であると判断できる。
【００５１】
もし、フルセグ受信状態が悪化と判定された場合は（ステップＳ８０５；ＮＯ）、制御部１１はユーザ通知を停止する（ステップＳ８０７）。その後、制御部１１はタイマー２４の計時を開始する（ステップＳ８０８）。そして、或る時間が経過してタイマーが満了したら（ステップＳ８０９；ＹＥＳ及びＮＯ）、制御部１１は再びステップＳ８０１に戻ってワンセグＣＮを取得する。なお、ステップＳ８０４にてフルセグ受信状態の判定が終了していなかった場合は（ステップＳ８０４；ＮＯ）、制御部１１はステップＳ８０８に進んでタイマーを開始する。
【００５２】
このようにして、制御部１１は、フルセグチューナ部１６０の動作を停止させてワンセグチューナ部１５０を動作させているときにワンセグチューナ部１５０が出力するワンセグ放送の受信状況（ここでは、ワンセグＣＮであるが、ワンセグ放送の電界強度又はワンセグＢＥＲ等であってもよい。）を取得する。これによって、取得したワンセグの受信状況からフルセグの受信状況を予測できることなり、予測した受信状況を用いて、フルセグチューナ部１６０の動作を制御できる。また、制御部１１は、取得したワンセグ放送の上記受信状況が所定の基準（第２の所定の基準の一例）を満たす場合に、ハイビジョン放送の受信状況が良好である旨の情報を出力することによって、ユーザに、ハイビジョン放送の受信が可能であることを通知することができる。このようにして、本実施形態においては、ハイビジョン放送へユーザの所望のタイミングで手動にて切り替えができることになるため、ユーザにとっては使い勝手が向上する。なお、ワンセグ放送の受信状況（例えば、ワンセグＣＮ）が前記の所定の基準を満たす場合とは、この受信状況が直接或る所定の基準を満たす場合の他、この受信状況から把握（予測を含む）できる他の情報（フルセグＢＥＲ等のハイビジョン放送の受信状況等）が或る所定の基準を満たす場合も含む。前記他の情報を用いることによって、フルセグ放送及びワンセグ放送の受信状況の判断がし易くなる場合がある。
【００５３】
（フルセグＢＥＲ予測処理フロー）
次に、フルセグＢＥＲの予測処理のフローについて詳細に説明する（図９）。
【００５４】
ワンセグ放送とハイビジョン放送は同じチャンネルであれば、図６に示したように、或る一定範囲の周波数帯を利用してワンセグ放送とハイビジョン放送についての電波を伝送している。よって、ワンセグ放送の電界強度が強ければ、同じ場所で受信したハイビジョン放送の電界強度も強い、というような相関があることが分かる。ここでは、この相関を利用して、フルセグチューナ部１６０を起動せずに、ワンセグチューナ部１５０から得られるＣＮ値等の情報を用いてフルセグの電波状況を予測する。なお、上記のように、ＣＮ値は、ワンセグ放送の電界強度又はワンセグＢＥＲ等に変更可能である。
【００５５】
まず、制御部１１は、ワンセグＣＮを取得したら、ワンセグＣＮ−フルセグＣＮ対応表２５を参照する（ステップＳ９０１）。ワンセグＣＮ−フルセグＣＮ対応表２５とは、図１４に示すように、ワンセグＣＮ１４０１とフルセグＣＮ１４０２との対応関係が示された表である。これは、同じ受信条件にて、ワンセグチューナ部１５０で取得したワンセグ周波数帯のＣＮ値とフルセグチューナ部１６０で取得したフルセグ周波数帯のＣＮ値との対応関係を示したものである。この対応表を使えば、例えば、ワンセグチューナ部１５０から取得したＣＮ値が１．０ｄＢだった場合、仮にフルセグチューナ部１６０でＣＮ値を取得すると、ＣＮ値は１．５ｄＢとなると予測できる。
【００５６】
制御部１１は、この対応表２５を参照して、取得したワンセグＣＮに対応するフルセグＣＮを取得する。具体的には、取得したワンセグＣＮ（以後、ＣＮ＿ｉｎ）に一番近い値（以後、ＣＮ＿ｏｕｔ１）と、二番目に近い値（以後、ＣＮ＿ｏｕｔ２）を検索して取得し（ステップＳ９０２、ステップＳ９０３）、これらの値を用いて、フルセグＣＮの予測値（以後ＣＮ＿ｆ）を計算する（ステップＳ９０４）。例えば、ＣＮ＿ｉｎ＝１．２５だった場合、ＣＮ＿ｏｕｔ１＝１．０、ＣＮ＿ｏｕｔ２＝２．０となる。これらに対応するフルセグＣＮ値１４０２を、対応表２５を参照して、１．５と２．５を得る。そして、これらの値に係数をかけて足合わせる。係数は、線形近似となるように、それぞれ１−（ＣＮ＿ｉｎ−ＣＮ＿ｏｕｔ１）／（ＣＮ＿ｏｕｔ２−ＣＮ＿ｏｕｔ１）と、１−（ＣＮ＿ｉｎ−ＣＮ＿ｏｕｔ２）／（ＣＮ＿ｏｕｔ１−ＣＮ＿ｏｕｔ２）とする。その結果、ＣＮ＿ｆ＝１．１２５＋０．６２５＝１．７５を得ることができる。ここで、係数の算出方法はこれに限らず、計算処理を省略するためにどちらも０．５に固定するなどでもよい。
【００５７】
制御部１１は、ＣＮ＿ｆが計算できたら、次はフルセグＣＮ−フルセグＢＥＲ対応表２６を参照する（ステップＳ９０５）。フルセグＣＮ−フルセグＢＥＲ対応表２６とは、図１５に示すように、フルセグＣＮ１５０１とフルセグＢＥＲ１５０２との対応関係が示された表である。これは、同じ電波条件にて、フルセグチューナ部１６０で取得したフルセグ周波数帯のＣＮ値と、フルセグチューナ部１６０で取得したフルセグ周波数帯のＢＥＲ値との対応関係を示したものである。この対応表を使えば、例えば、フルセグのＣＮ値が１４．０ｄＢだった場合、フルセグのＢＥＲ値は、６．０×１０−４となると予測できる。
【００５８】
そして、制御部１１は、ステップＳ９０２〜ステップＳ９０４と同様の計算処理を行い、フルセグＢＥＲの予測値を計算する。まず、制御部１１は、フルセグＣＮ値ＣＮ＿ｆに一番近い値ＣＮ＿ｆ１と二番目に近い値ＣＮ＿ｆ２を検索して取得する（ステップＳ９０６、ステップＳ９０７）。そして、制御部１１は、ＣＮ＿ｆ１とＣＮ＿ｆ２に対応するフルセグＢＥＲ１５０２を取得して、ステップＳ９０４と同様に係数を計算し、フルセグＢＥＲ（以後、ＢＥＲ＿ｆ）を計算する（ステップＳ９０８）。得られたフルセグＢＥＲが、予測したフルセグの受信状況である。このようにして、対応表を用いて、フルセグＢＥＲを予測できる。なお、フルセグ放送の受信状況をフルセグＣＮ又はフルセグ放送の電界強度に適宜変更してもよく、この場合には、ステップＳ９０５〜ステップＳ９０８を省き（電界強度の場合には、さらにフルセグＣＮ値を電界強度に置き換える。）、フルセグ放送の受信状況をフルセグＣＮ又はフルセグ放送の電界強度にする（これ以降に行われる処理でも同じ）。
【００５９】
（フルセグの受信状態判定処理フロー）
次に、フルセグの受信状態判定処理のフローについて詳細に説明する（図１０）。
【００６０】
まず、処理を開始すると、制御部１１は、フルセグの受信状態として「判定中」をセットする（ステップＳ１００１）。これは、具体的には、制御部１１は、記憶部１２に記憶されたプログラム上のフルセグ受信状態を示す変数に、「判定中」を示す所定の値、例えば１を格納する。
【００６１】
次に、制御部１１は、図９のステップＳ９０８で計算したフルセグＢＥＲの予測値ＢＥＲ＿ｆを取得し（ステップＳ１００２）、閾値ＢＥＲ＿ｔｈ（例えば第２の閾値）未満であるかを判定し（ステップＳ１００３）、未満である場合は（ステップＳ１００３；ＹＥＳ）、カウンタｉをインクリメントする（ステップＳ１００４）。ここで、カウンタｉとは、フルセグＢＥＲ値が何回連続で閾値ＢＥＲ＿ｔｈ未満であったかを数えるための、プログラム上の変数である。
【００６２】
そして制御部１１は、カウンタｉが閾値Ｃｎｔ＿ｔｈ１を超えたかどうかを判定し（ステップＳ１００５）、超えた場合は（ステップＳ１００５；ＹＥＳ）、ハイビジョン放送の受信状態が良好といえるので、フルセグ受信状態に「良好」を示す値、例えば２、をセットする（ステップＳ１００６）。そして、制御部１１は、カウンタｉをリセットして０に戻す（ステップＳ１００７）。また、制御部１１は、後述するカウンタｊもリセットして０に戻す（ステップＳ１００８）。
【００６３】
フルセグＢＥＲ値が閾値ＢＥＲ_ｔｈ以上であった場合は（ステップＳ１００３；ＮＯ）、カウンタｊをインクリメントする（ステップＳ１００９）。ここで、カウンタｊとは、フルセグＢＥＲ値が何回連続で閾値ＢＥＲ＿ｔｈ以上であったかを数えるための、プログラム上の変数である。
【００６４】
そしてカウンタｊが閾値Ｃｎｔ＿ｔｈ２を超えたかどうかを判定し（ステップＳ１０１０）、超えた場合は（ステップＳ１０１０；ＹＥＳ）、ハイビジョン放送の受信状態は悪いといえるので、フルセグ受信状態に「悪化」を示す値、例えば３、をセットする（ステップＳ１０１１）。そして、カウンタｊをリセットして０に戻す（ステップＳ１０１２）。また、カウンタｉもリセットして０に戻す（ステップＳ１０１３）。なお、カウンタｉが閾値Ｃｎｔ＿ｔｈ１よりも小さい場合（ステップＳ１００５；ＮＯ）、および、カウンタｊが閾値Ｃｎｔ＿ｔｈ２よりも小さい場合（ステップＳ１０１０；ＮＯ）は、フルセグ受信状態は「判定中」を示す値がセットされたままであり、制御部１１はステップＳ１０１３又はステップＳ１００８に進む。
【００６５】
このようにして、フルセグ受信状態を示す変数には、「判定中」「良好」「悪化」を示す値がセットされる。
【００６６】
このように、フルセグチューナを停止させた状態でハイビジョン放送が受信可能かどうかを判定することで、端末の消費電力を低く抑えることが可能である。その結果、テレビの視聴時間が延び、ユーザの使い勝手が向上する。
【００６７】
（フルセグ受信可能通知の具体例）
ここで、フルセグ受信可能通知の具体例を示す。制御部１１は、ハイビジョン放送の受信状態が良好である場合に、ハイビジョン放送の受信状況が良好である旨の情報を出力する。
【００６８】
制御部１１は、ハイビジョン放送の受信状態が良好（つまり受信状況が或る基準を満たす場合）である場合に、ハイビジョン放送の受信状況（つまり受信状態）が良好である旨の画面（図１６（ａ））を表示部１４に表示する。図１６（ａ）はワンセグ放送を視聴中の画面例であり、ワンセグ受信中マーク１６０１が表示されている。ここで、ハイビジョン放送の受信が可能になると、図１６（ｂ）の画面に遷移し、ハイビジョン放送受信可能マーク１６０２が表示される。ユーザはこのマーク１６０２を見て、ハイビジョン放送が受信可能になったことを知ることができ、例えば、切替ボタン４を押下するなどの所定の操作を行い、所望のタイミングでハイビジョン放送へ切替ることができる。なお、表示方法はこれに限らず、例えば、図１６（ｃ）のように、受信状況をバロメータ１６０３のように表示してもよい。これは、予めワンセグＣＮの値とバロメータの高さとの関係を定めておき、ワンセグＣＮの値を取得した際にバロメータの高さに変換することで、表示が可能である。
【００６９】
また、図１６（ｄ）のように、ハイビジョン放送（フルセグ放送）の受信が可能となった場合に、ポップアップ１６０４のような通知を行い、ポップアップ１６０４の「はい」を選択することでハイビジョン放送に切り替えられるようにしても良い。このように、ポップアップ１６０４で切替指示を受け付けることによって、ユーザはこのポップアップの「はい」を選択すればすぐにハイビジョン放送への切替ができるため、使い勝手が向上する。このように、表示部１４は、制御部１１が出力するハイビジョン放送の受信状況が良好である旨の情報に基づいてハイビジョン放送の受信状況が良好であることを示すポップアップ１６０４を含む画像を表示する。
【００７０】
ここで、ハイビジョン放送が受信可能になった表示をしている状態で、再び受信不可となった場合は、前記表示を消して、ハイビジョン放送が受信不可となったことをユーザに知らせる。
【００７１】
なお、ユーザ通知の方法は、表示だけでなく、バイブレーションや音で通知をしても良い。具体的には、振動を発生させる振動発生部を形成し、振動発生部は、制御部１１が出力するハイビジョン放送の受信状況が良好である旨の情報に基づいてハイビジョン放送の受信状況が良好であることを示す振動を発生させる。または、音を発生させる音出力部をさらに備え（スピーカ８であってもよい。）、音出力部は、制御部１１が出力するハイビジョン放送の受信状況が良好である旨の情報に基づいてハイビジョン放送の受信状況が良好であることを示す音を発生させる。この場合、画面を見ていないで音声だけでワンセグ放送を視聴しているユーザでも、ハイビジョン放送の受信が可能になったことを知ることができ、使い勝手が向上する。例えば、ワンセグ放送では音声だけ聞いており、ハイビジョン放送が受信可能な場合は映像も視聴したいというユーザにとっては使い勝手が向上する。また、ハイビジョン放送では５．１ｃｈ音声に対応している番組もあり、音声だけ聞いているユーザにとってもハイビジョン放送に切り替えて高音質で音声を楽しむことができる。
【００７２】
本実施形態において、チューナ制御装置１は、ワンセグ放送を視聴中に電界強度の強いエリアＡ２にユーザが移動した場合、ハイビジョン放送が受信可能な旨（すなわちハイビジョン放送の受信状況が良好である旨）をユーザに通知する。なお、ハイビジョン放送の受信状況をワンセグチューナ部１５０のみ動作させた状態で推測できるため、フルセグチューナ部１６０を動作させる場合と比べて消費電力を抑えることができ、長い視聴時間を確保することができるので、ユーザの使い勝手を向上するデジタル信号処理装置を提供出来る。
【００７３】
（実施形態２）
次に、本発明の実施形態２について説明する。固定テレビで受信することを目的として規格化されたハイビジョン放送では、必要なＣ／Ｎ比は約２０ｄＢ以上であることが推奨されており、その値より少し悪い、例えばＣ／Ｎ比が１７〜１８ｄＢ程度の電波状況では、ハイビジョン放送の映像にブロックノイズが発生してしまう場合もある。そのため、このような状況下では、ワンセグＣＮから予測したフルセグＢＥＲを用いて、フルセグの電波状況を予測するのは困難である。
【００７４】
そこで、実施形態２では、上述したようなフルセグ電波状況が予測困難な状況において正確にフルセグの電波状況を推測するために、制御部１１は、フルセグチューナ部１６０をいったん起動して動作させ、フルセグＢＥＲ値を取得する。制御部１１は、フルセグＢＥＲ値を取得したら、フルセグチューナ部１６０の動作を停止させる。実施形態２におけるこれ以外の事項については基本的に実施形態１と同様である。
【００７５】
ワンセグＣＮを取得し、ワンセグＣＮが或る所定の範囲内であった場合に、フルセグチューナを起動させて、フルセグのＢＥＲ値を取得するフルセグチューナ部一時起動処理のフローについて説明する（図１１）。図１１は、フルセグＢＥＲを取得するまでの処理フローであり、図９の処理フローの代替となる。
【００７６】
まず、制御部１１は、ワンセグＣＮを取得したら、ステップＳ９０１〜ステップＳ９０４までと同様の処理を行い、フルセグＣＮ値ＣＮ＿fを取得する。次に、制御部１１は、取得したフルセグＣＮ値ＣＮ＿ｆが、閾値ＣＮ＿ｔｈ１（第３の閾値）以上で、かつ、閾値ＣＮ＿ｔｈ２（第４の閾値）以下であるかどうかを判定する（ステップＳ１１０１）。そして、その範囲内に入っていた場合（ステップＳ１１０１；ＹＥＳ）、制御部１１は、フルセグチューナ部１６０を起動させ、動作させる（ステップＳ１１０２）。起動時、制御部１１は、フルセグチューナがＢＥＲを出力するのに必要な、レジスタの初期化などの初期化処理を行う。次に、制御部１１は、フルセグチューナ部１６０のＢＥＲ測定器１６４から出力されるフルセグのＢＥＲ値を取得し、記憶部１２のプログラム上の変数に格納しておく（ステップＳ１１０３）。そして、制御部１１は、ＢＥＲ値の取得処理が終了したら、フルセグチューナ部１６０を停止する（ステップＳ１１０４）。なお、ステップＳ９０４で取得したフルセグＣＮ値ＣＮ＿ｆが、閾値ＣＮ＿ｔｈ１から閾値ＣＮ＿ｔｈ２の範囲外であった場合（ステップＳ１１０１；ＮＯ）、制御部１１は、ステップＳ９０５からステップＳ９０８までと同様の処理を行って、フルセグＣＮ−フルセグＢＥＲ対応表２６を用いてＢＥＲ＿ｆを取得する。
【００７７】
そして、制御部１１は、図８ステップＳ８０３からステップＳ８０９までと同様の処理を行い、フルセグの電波状況が良いと判定されればユーザ通知を開始し、そうでなければユーザ通知を停止する。
【００７８】
このようにして、制御部１１は、ワンセグチューナ部１５０を動作させているときに停止中のフルセグチューナ部１６０を所定のタイミングで動作させ、動作させたフルセグチューナ部１６０が出力するハイビジョン放送の受信状況を取得する。これによって、ハイビジョン放送の受信状況から受信状態が分かり、効率的にフルセグチューナ部１６０の動作を制御できる。
【００７９】
特に制御部１１は、ワンセグチューナ部１５０が出力するワンセグ放送の受信状況を取得し、取得したワンセグ放送の受信状況が所定の基準（第３の所定の基準の一例）を満たす場合に、フルセグチューナ部１６０を動作させる。なお、ワンセグ放送の受信状況が前記の所定の基準を満たす場合とは、この受信状況が直接或る所定の基準を満たす場合の他、この受信状況から把握（予測を含む）できる他の情報（フルセグＢＥＲ等のハイビジョン放送の受信状況等）が或る所定の基準を満たす場合も含む。前記他の情報を用いることによって、フルセグ放送及びワンセグ放送の受信状況の判断がし易くなる場合がある。フルセグの電波状況が良好条件か悪条件か判断つきにくい状況では、ワンセグＣＮから予測するのではなく、フルセグチューナ部１６０をいったん動作させてフルセグＢＥＲを取得することで、正確にフルセグ放送の受信状況を特定することができ、ユーザの使い勝手も向上する。さらに、制御部１１は、上記のように、取得したハイビジョン放送の受信状況が所定の基準（第４の所定の基準の一例）を満たす場合に、ハイビジョン放送の受信状況が良好である旨の情報を出力する。これによって、ユーザにハイビジョン放送が受信可能である旨を通知できる。
【００８０】
（実施形態３）
（フルセグＢＥＲ取得モード切替）
しかしながら、フルセグチューナ部１６０を動作させると、ワンセグチューナ部１５０だけを起動した場合と比較して、消費電力が多くなってしまう。よって、消費電力をできるだけ低く抑えるために、頻繁にフルセグチューナ部１６０を動作させることはなるべく避けたい。
【００８１】
また、フルセグ受信が可能な通知をしたにもかかわらず、ユーザがハイビジョン放送に切り替えずに、ワンセグ放送を視聴し続けている場合、放送の画質よりも番組内容に熱中している可能性が高い。この場合には、ハイビジョン放送の受信状況の把握の精度は必ずしも問われない可能性が高く、この場合には、ワンセグＣＮの値を用いてフルセグＢＥＲを予測すれば充分の可能性が高い。
【００８２】
そこで、フルセグチューナの起動に伴う消費電力の増加を抑えるために、制御部１１のフルセグＢＥＲを把握するモードを変更する。具体的には、図９に示した、ワンセグＣＮの値を用いてフルセグＢＥＲを予測するモード（以後、モード１）と、図１１に示した、ワンセグＣＮの値が或る範囲内だった場合はフルセグチューナ部１６０を起動させてフルセグＢＥＲを取得するモード（以後、モード２）とを切り替える。なお、実施形態３におけるこれ以外に事項については基本的に実施形態１及び２と同様である。
【００８３】
ハイビジョン放送が視聴可能になりユーザにその旨を通知しても、ユーザがワンセグを視聴し続けていた場合は、モード２からモード１に切り替える第１のモード切替処理フローについて説明する（図１２）。
【００８４】
まず、制御部１１は、ワンセグ視聴中にワンセグＣＮを取得するとともに（ステップＳ８０１）、フルセグのＢＥＲ値を把握する（ステップＳ１２０４）。把握の方法は、設定されたモードによって変更する。すなわち、モード１であれば、図９に示す処理が行われ、モード２であれば、図１１に示す処理が行われる。ここでは、最初モード２の処理が行われることとする。そして、制御部１１は、ステップＳ８０３からステップＳ８０６までと同様の処理を行い、ユーザ通知を開始する。その後、制御部１１は、ユーザが或る一定期間の間にハイビジョン放送への切り替えを指示するかどうかを判定するためのタイマーの計時を開始する。（ステップＳ１２０１）、そして一定時間が経過して、タイマーが満了すると（ステップＳ１２０２；ＹＥＳ）、制御部１１は、ハイビジョン放送への切り替え指示があったかどうかを検出する（ステップＳ１２０５）。まだハイビジョン放送への切り替え指示がなかった場合（ステップＳ１２０５；ＹＥＳ）、ユーザがハイビジョン放送に切り替えずに、ワンセグ放送を視聴し続けている可能性が高く、制御部１１は、フルセグＢＥＲの取得モードをモード１に切り替える（ステップＳ１２０６）。すなわち、フルセグＢＥＲをワンセグＣＮの値を用いて予測するように切り替える。
【００８５】
また、フルセグ電波状況が悪化した場合（ステップＳ８０５；ＮＯ）、ユーザ通知を停止し（ステップＳ８０７）、フルセグＢＥＲの取得モードを、モード２に戻す（ステップＳ１２０３）。
【００８６】
また、フルセグＢＥＲ把握モードを切り替えるタイミングとして、フルセグ受信可能の通知をした回数が或る所定の回数を超えてもユーザがハイビジョン放送に切り替えなかった場合は、モード１に切り替えるようにしても良い。その場合の第２のモード切替処理フローについて説明する（図１３）。なお、下記では実施形態３における実施形態１及び２と異なる部分について説明し、重複する部分の説明は省略する。
【００８７】
まず、制御部１１は、図１２のステップＳ８０１からステップＳ８０６までと同様の処理を行い、フルセグ受信可能なユーザ通知を開始する。次に、制御部１１は、カウンタｋをインクリメントする（ステップＳ１３０１）。このカウンタｋは、ユーザ通知した回数を数えるための、プログラム上の変数である。そして、制御部１１は、カウンタｋが閾値Ｎより大きいかどうかを判定し（ステップＳ１３０２）、大きかった場合は（ステップＳ１３０２；ＹＥＳ）、ハイビジョン放送への切り替え指示があったかどうかを検出する（ステップＳ１２０５）。まだハイビジョン放送への切り替え指示がなかった場合（ステップＳ１２０５；ＹＥＳ）、ユーザがハイビジョン放送に切り替えずに、ワンセグ放送を視聴し続けている可能性が高く、制御部１１は、フルセグＢＥＲの取得モードをモード１に切り替える（ステップＳ１２０６）。すなわち、制御部１１は、フルセグＢＥＲをワンセグＣＮの値を用いて予測するように切り替える。また、フルセグ電波状況が悪化した場合は、カウンタｋはリセットし（ステップＳ１３０３）、フルセグＢＥＲの取得モードを、モード２に戻す（ステップＳ１２０３）。
【００８８】
本実施形態では、制御部１１は、ワンセグチューナ部１５０を動作させているときにワンセグチューナ部１５０が出力するワンセグ放送の受信状況を取得し、取得したワンセグ放送の受信状況が或る所定の基準（第５の所定の基準の一例）を満たすか否かを判別する第１の判別モードと、ワンセグチューナ部１５０を動作させているときに停止中のフルセグチューナ部１６０を所定のタイミング（例えば、上記図１１のステップＳ１１０１のＹＥＳ）で動作させ、動作させたフルセグチューナ部１６０が出力するハイビジョン放送の受信状況を取得し、取得したハイビジョン放送の受信状況が或る所定の基準（第６の所定の基準の一例）を満たすか否かを判別する第２の判別モードと、を有する。また、制御部１１は、第１の判別モード又は第２の判別モードでそれぞれの前記の或る所定の基準を満たすと判断した場合に、前記第２の放送データの受信状況が良好である旨の情報を出力する。さらに、制御部１１は、第２の判別モードによってハイビジョン放送の受信状況が前記の所定の基準を満たすと判別すると、ハイビジョン放送の受信状況が良好である旨の情報を出力し、この情報の出力後所定の間（期間又は出力回数）にユーザの所定の操作（ハイビジョン放送に切り替える旨の操作）がない場合に、判別モードを前記第１の判別モードに切り替える。なお、ワンセグ放送の受信状況が或る所定の基準を満たす場合とは、この受信状況が直接或る所定の基準を満たす場合の他、この受信状況から把握（予測を含む）できる他の情報（フルセグＢＥＲ等のハイビジョン放送の受信状況等）が或る所定の基準を満たす場合も含む。前記他の情報を用いることによって、フルセグ放送及びワンセグ放送の受信状況の判断がし易くなる場合がある。
【００８９】
本実施形態では、判別モードを所定のタイミングで切り替えることが出来、フルセグチューナ部１６０の不要な動作を軽減でき、消費電力を抑えることができ、ユーザの使い勝手は向上する。
【００９０】
（実施形態４）
（間欠的にモード２にする）
また、モード１でフルセグＢＥＲをワンセグＣＮ値から予測すると、予測がはずれてしまう場合もある。より精度高くフルセグ受信状況を予測するには、モード２でフルセグチューナ部１６０が出力するフルセグＢＥＲを取得する。しかし、フルセグチューナの起動に伴う消費電力の増加は抑えたい。
【００９１】
ここで、図１８（ａ）のように、区間１８０１でモード１とし、区間１８０２でモード２とし、時刻ｔ１以降においてユーザからのハイビジョン放送切替指示がない等によって、ずっとモード２のままであると、消費電力が大きくなってしまう。そこで、間欠的にモード２に切り替えることで、精度を高くフルセグ放送の受信状況を予測し、また消費電力も抑える。このように制御した場合の、モードの時間変化を説明する（図１８）。
【００９２】
まず、制御部１１は、時刻ｔ０にてフルセグ受信可能通知をする。以後、制御部１１は、区間１８１１ではモード２でフルセグＢＥＲを取得する。そして、一定時間経過してもユーザからのハイビジョン放送切替指示がない場合は、制御部１１は、モード１に切り替える（時刻ｔ１）。その後、制御部１１は、区間１８１２の間はモード１でフルセグＢＥＲを予測する。一定時間が経過すると、再びモード２に切り替える（区間１８１３）。その後は、制御部１１は、区間１８１２、区間１８１３のようにモードの切り替えを繰り返していく（図１８の（ｂ）を参照）。
【００９３】
以下、このように制御する処理フローについて説明する（図１９）。
【００９４】
まず、制御部１１は、ステップＳ１２０６でフルセグＢＥＲ取得モードをモード１に切り替えた後、モード切替の時間測定用のタイマー（以後、モード切替タイマー）を開始する。次に、制御部１１は、図１２のステップＳ８０１と同様の処理を行ってワンセグのＣＮ値を取得する。そして、制御部１１は、モード切替タイマーが満了しているかどうかチェックし（ステップＳ１９０１）、タイマーが満了していたら（ステップＳ１９０１；ＹＥＳ）、モードを切り替える（ステップＳ１９０２）。
【００９５】
モード切替では、制御部１１は、まず現状のモードを取得し、その次のモードに切り替える。もし現状がモード１だったらモード２へ、現状がモード２だったらモード１へ切り替える。その後、制御部１１は、モード切替タイマーを開始する（ステップＳ１９０３）。その後、切り替えたモードに従って、制御部１１は、実施形態３と同様にフルセグのＢＥＲを把握する（ステップＳ１９０４）。それ以降の処理については、図１２のステップＳ８０３と同様の処理を行う。
【００９６】
このように、制御部１１は、第１の判別モードと、第２の判別モードと、を所定のタイミングで交互に切り替える。また、所定のタイミングは、第１の判別モードの期間と第２の判別モードの期間とが略同じ（同じも含む）となるようなタイミングが望ましい。間欠的にモード１とモード２を切り替えてフルセグＢＥＲを取得することで、消費電力を抑えつつ、精度高くフルセグの受信状況を予測することができる。
【００９７】
（モード２の割合を低くする）
さらに、モード２の割合を低くして消費電力を抑えることを考える。フルセグ受信可能通知してからユーザがハイビジョン放送に切り替えない時間が長くなればなるほど、フルセグ受信状況の精度は必要なくなってくる。そこで、制御部１１は、時間の経過につれてモード２に切り替えるタイミングを遅らせる。図１８（ｃ）のように、制御部１１は、時刻ｔ１でモード１に切り替えた後、モード１の区間１８２２、区間１８２４、区間１８２６と徐々に長くしていく。これにより、モード２の割合を少なくできる。
【００９８】
このように制御するための処理フローを説明する（図２０）。
【００９９】
まず、制御部１１は、図１９のステップＳ８０１からステップＳ１９０２と同様の処理を行って、ワンセグＣＮの取得と、モード切替タイマー満了時はモードの切り替えを行う。
【０１００】
次に、制御部１１は、現在のモードがどのモードになっているかを判定する（ステップＳ２００１）。そこで、モード１だった場合（ステップＳ２００１；モード１）、制御部１１は、モード１用のタイマーをセットする（ステップＳ２００２）。またモード２だった場合（ステップＳ２００２；モード２）、制御部１１は、モード２用のタイマーをセットする。そして、モード切替タイマーの計時を開始する（ステップＳ１９０３）。ここで、モード１用のタイマーの時間を長くセットしておけば、次にモード２に切り替わるまでの時間が長くなり、結果としてモード２の割合を少なくできる。
【０１０１】
その後、制御部１１は、切り替えたモードに従って、フルセグのＢＥＲを把握する（ステップＳ１９０４）。それ以降の処理については、図１２のステップＳ８０３と同様の処理を行う。
【０１０２】
このように、モードを切り替える毎に第２の判別モードの期間の方が第１の判別モードの期間よりも短くなっていく。
【０１０３】
第２の判別モードの割合を少なくすることで、より消費電力が低減でき、ユーザの使い勝手が向上する。
【０１０４】
（チャンネル変更でモード２に戻す）
なお、チャンネル変更をユーザが指示した場合、モード２に戻すように制御しても良い。この場合、チャンネルが変わることで番組も変わるため、ユーザがワンセグからフルセグに切り替えて視聴する可能性があるためである。そのためには、フルセグ受信状況を精度よく予測して通知する必要があるので、モード２に切り替える。
【０１０５】
このように制御するための処理について説明する。まず、ユーザによってチャンネルの変更指示がされると、チャンネル変更要求を制御部１１が検出し、制御部１１は、フルセグＢＥＲ取得モードをモード２に切り替える。次に、モード切替タイマーを停止する。そして、図２０ステップＳ８０１以降の処理を進めていくことで実現できる。
【０１０６】
このように、チャンネルが切り替わったら、フルセグ受信状況を再び精度よく予測できるため、ユーザの使い勝手が向上する。
【０１０７】
なお、フルセグＢＥＲ取得モードをモード２に戻すきっかけは、チャンネル変更に限らない。例えば、音量変更や、データ放送画面のスクロール、サブメニュー画面の開閉、視聴スタイルの変更などでも良い。
【０１０８】
このように、ユーザの操作を契機としてモードを切り替えても良い。
【０１０９】
（その他）
（切り替え操作画面）
ハイビジョン放送、ワンセグ放送を切り替えるユーザインタフェースについては、切替ボタン４を押下することにより、ハイビジョン放送→ワンセグ放送→ハイビジョン放送、というようにトグル式に放送を切り替えるようにしてもよい。また、画面操作によって切り替えを行えるようにしてもよく、その場合の操作画面について説明する（図１７）。
【０１１０】
まず、ワンセグ視聴中またはフルセグ視聴中に（図１７（ａ））、ソフトキー「サブメニュー」１７０１に対応するキーボード上のボタン（以後、サブメニューキー）を押下すると、サブメニューの表示画面に遷移する（図１７（ｂ））。ここで、「切り替え設定」を選択すると、切り替え設定画面に遷移する（図１７（ｃ））。この画面で、「フルセグ」を選択して「決定」を押下すると、フルセグへの切り替え処理が開始される。そして、ハイビジョン放送に切り替わったことを示すポップアップ（１７０４）を表示する（図１７（ｄ））。さらに、ハイビジョン放送視聴中は、アイコン１７０３のようなハイビジョン放送を視聴中であることを示すアイコンを、画面に表示してもよい（図１７（ｅ））。これにより、ユーザは、ハイビジョン放送かワンセグ放送かどちらを視聴中であるかが一目で分かり、使い勝手が向上する。
【０１１１】
（各実施形態等について共通する説明）
上記各実施形態で説明したように、チューナ制御装置１は、第１の放送データを復調する第１のチューナ部と、前記第１の放送データよりデータ量の多い第２の放送データを復調する第２のチューナ部と、前記第１のチューナ部の動作と前記第２のチューナ部の動作とを制御し、前記第１のチューナ部を動作させているときに前記第２のチューナ部の動作を停止させる制御手段と、を備えるので、常にデータ量の多い第２の放送データを復調する第２のチューナ部（消費電力が大きい）の電源を入れておくのではなく、必要に応じて第２のチューナ部を動作させることで、消費電力を抑えることができる。
【符号の説明】
【０１１２】
１・・・チューナ制御装置、２…キーボード、３…カーソルキー、４…切替ボタン、５…表示パネル、６…通話用マイク、７…通話用スピーカ、８…スピーカ、１１…制御部、１２…記憶部、１３…操作部、１４…表示部、１５…ワンセグ復調・デコード部、１６…フルセグ復調・デコード部、１７…音声出力部、１８…音声入力部、１９…通信部、２０…バス、２４…タイマー、２５…ワンセグＣＮ−フルセグＣＮ対応表、２６…フルセグＣＮ−フルセグＢＥＲ対応表、３０…チューナ制御プログラム、３１…アンテナ、１５０…ワンセグチューナ部、１５１…受信機、１５２…ＣＮ測定器、１５３…復調器、１５４…ＢＥＲ測定器、１５５…ＣＮ線、１５６…ＢＥＲ線、１５７…ＴＳ線、１５９…ワンセグデコード部、１６０…ワンセグチューナ部、１６１…受信機、１６２…ＣＮ測定器、１６３…復調器、１６４…ＢＥＲ測定器、１６５…ＣＮ線、１６６…ＢＥＲ線、１６７…ＴＳ線、１６８…デスクランブル部、１６９…フルセグデコード部
【図１】
2010278581.tif 000003
【図２】
2010278581.tif 000004
【図３】
2010278581.tif 000005
【図４】
2010278581.tif 000006
【図５】
2010278581.tif 000007
【図６】
2010278581.tif 000008
【図７】
2010278581.tif 000009
【図８】
2010278581.tif 000010
【図９】
2010278581.tif 000011
【図１０】
2010278581.tif 000012
【図１１】
2010278581.tif 000013
【図１２】
2010278581.tif 000014
【図１３】
2010278581.tif 000015
【図１４】
2010278581.tif 000016
【図１５】
2010278581.tif 000017
【図１６】
2010278581.tif 000018
【図１７】
2010278581.tif 000019
【図１８】
2010278581.tif 000020
【図１９】
2010278581.tif 000021
【図２０】
2010278581.tif 000022